(57)【要約】【課題】少数の光源によって光が動くように見せることができるとともにコストダウンさせることのできる車両用室内照明装置を提供する。【解決手段】車両用室内照明装置１は、導光部材２と、一方の光源部３Ａと、他方の光源部３Ｂと、制御部３１と、を有し、前記制御部３１が、前記一方の光源部３Ａを点灯させた後に前記他方の光源部３Ｂを点灯させ、該他方の光源部３Ｂを点灯させた後に前記一方の光源部３Ａを消灯させ、該一方の光源部３Ａを消灯させた後に前記他方の光源部３Ｂを消灯させる。【選択図】図１
2014008803.tif 000002
【特許請求の範囲】
【請求項１】
長手方向の両端部から入射された光が導光されるとともに拡散される導光部材と、該導光部材の長手方向の一方の端部に設けられた一方の光源部と、前記導光部材の長手方向の他方の端部に設けられた他方の光源部と、前記一方の光源部および前記他方の光源部の双方の点灯をそれぞれ制御する制御部と、を有し、
前記制御部が、前記一方の光源部を点灯させた後に前記他方の光源部を点灯させ、該他方の光源部を点灯させた後に前記一方の光源部を消灯させ、該一方の光源部を消灯させた後に前記他方の光源部を消灯させることを特徴とする車両用室内照明装置。
【請求項２】
前記一方の光源部から出射された光が、前記導光部材の長手方向の一方の端部に対して斜入射され、
前記他方の光源部から出射された光が、前記導光部材の長手方向の他方の端部に対して斜入射されることを特徴とする請求項１に記載の車両用室内照明装置。
【請求項３】
前記一方の光源部には、前記導光部材の長手方向の一方の端部に対して当該導光部材の光軸に沿って光を入射させる一方の第１光源と、前記導光部材の長手方向の一方の端部に対して光を斜入射させる一方の第２光源と、が設けられ、
前記他方の光源部には、前記導光部材の長手方向の他方の端部に対して当該導光部材の光軸に沿って光を入射させる他方の第１光源と、前記導光部材の長手方向の他方の端部に対して光を斜入射させる他方の第２光源と、が設けられ、
前記制御部が、前記一方の第２光源を点灯させた後に当該一方の第２光源を消灯させるとともに前記一方の第１光源と前記他方の第１光源とを点灯させ、前記一方の第１光源と前記他方の第１光源とを点灯させた後に当該一方の第１光源と当該他方の第１光源とを消灯させるとともに前記他方の第２光源を点灯させ、該他方の第２光源を点灯させた後に当該他方の第２光源を消灯させることを特徴とする請求項１または請求項２に記載の車両用室内照明装置。
【発明の詳細な説明】
【技術分野】
【０００１】
本発明は、自動車等の客室内を照明するための車両用室内照明装置に関する。
【背景技術】
【０００２】
図６に示すように、車両用室内照明装置１０１として、カバー１２０内に多数の光源１２１〜１２８を配列し、図７に示すように、各光源１２１〜１２８が一方向に向かって順次点灯されるとともに当該各光源１２１〜１２８が前記一方向に向かって順次消灯されるように制御することによって、光が一方向に流れるような照明効果を演出することのできるものが提案されている（例えば、特許文献１ないし特許文献３など参照）。
【０００３】
このような車両用室内照明装置１０１は、制御回路を備えた制御部１３１によって、各光源１２１〜１２８の点灯および消灯が制御されている。
【先行技術文献】
【特許文献】
【０００４】
【特許文献１】特開２０１２−９６５６４号公報
【特許文献２】特開２０１２−１７０６３号公報
【特許文献３】特開２００１−９３３０５号公報
【発明の概要】
【発明が解決しようとする課題】
【０００５】
しかしながら、前述した特許文献１ないし特許文献３などに示された従来の車両用室内照明装置１０１は、図６に示すように、光が流れるような照明効果を見せたい範囲に、多数の光源１２１〜１２８を分散させて配列する必要があるため、多数の光源１２１〜１２８によってコストアップとなり、多数の光源１２１〜１２８を点灯させるための多数の回路および多数の配線によってコストアップとなり、また、光源をＬＥＤ（Light Emitting Diode：発光ダイオード）にすることによってさらにコストアップとなり、車両用室内照明装置１０１が高価となるという問題があった。
【０００６】
また、光が円滑に流れるような照明効果を見せるには、照明効果を見せたい範囲に配列されるＬＥＤを近接配置させる必要があるため、非常に多くのＬＥＤが必要となり、車両用室内照明装置１０１がさらに高価となるという問題があった。
【０００７】
本発明は、かかる問題を解決することを目的とするものである。即ち、本発明は、少数の光源によって光が動くように見せることができるとともにコストダウンさせることのできる車両用室内照明装置を提供することを目的とする。
【課題を解決するための手段】
【０００８】
前記課題を解決し目的を達成するために、請求項１に記載された本発明の車両用室内照明装置は、長手方向の両端部から入射された光が導光されるとともに拡散される導光部材と、該導光部材の長手方向の一方の端部に設けられた一方の光源部と、前記導光部材の長手方向の他方の端部に設けられた他方の光源部と、前記一方の光源部および前記他方の光源部の双方の点灯をそれぞれ制御する制御部と、を有し、前記制御部が、前記一方の光源部を点灯させた後に前記他方の光源部を点灯させ、該他方の光源部を点灯させた後に前記一方の光源部を消灯させ、該一方の光源部を消灯させた後に前記他方の光源部を消灯させることを特徴としている。
【０００９】
請求項２に記載された本発明の車両用室内照明装置は、請求項１に記載の車両用室内照明装置において、前記一方の光源部から出射された光が、前記導光部材の長手方向の一方の端部に対して斜入射され、前記他方の光源部から出射された光が、前記導光部材の長手方向の他方の端部に対して斜入射されることを特徴としている。
【００１０】
請求項３に記載された本発明の車両用室内照明装置は、請求項１または請求項２に記載の車両用室内照明装置において、前記一方の光源部には、前記導光部材の長手方向の一方の端部に対して当該導光部材の光軸に沿って光を入射させる一方の第１光源と、前記導光部材の長手方向の一方の端部に対して光を斜入射させる一方の第２光源と、が設けられ、前記他方の光源部には、前記導光部材の長手方向の他方の端部に対して当該導光部材の光軸に沿って光を入射させる他方の第１光源と、前記導光部材の長手方向の他方の端部に対して光を斜入射させる他方の第２光源と、が設けられ、前記制御部が、前記一方の第２光源を点灯させた後に当該一方の第２光源を消灯させるとともに前記一方の第１光源と前記他方の第１光源とを点灯させ、前記一方の第１光源と前記他方の第１光源とを点灯させた後に当該一方の第１光源と当該他方の第１光源とを消灯させるとともに前記他方の第２光源を点灯させ、該他方の第２光源を点灯させた後に当該他方の第２光源を消灯させることを特徴としている。
【発明の効果】
【００１１】
請求項１に記載された本発明の車両用室内照明装置によれば、制御部が、導光部材の長手方向の一方の端部に設けられた一方の光源部を点灯させた後に前記導光部材の長手方向の他方の端部に設けられた他方の光源部を点灯させ、該他方の光源部を点灯させた後に前記一方の光源部を消灯させ、該一方の光源部を消灯させた後に前記他方の光源部を消灯させるように、双方の光源部の点灯をそれぞれ制御するので、一方の光源部を点灯させた後に他方の光源部を点灯させることによって、導光部材の長手方向の一方の端部側を明るく（一方の端部側点灯）させた後に当該導光部材の長手方向の全長を明るく（全灯）させることができ、他方の光源部を点灯させた後に一方の光源部を消灯させることによって、導光部材の長手方向の全長を明るくさせた後に当該導光部材の長手方向の他方の端部側を明るく（他方の端部側点灯）させることができ、一方の光源部を消灯させた後に他方の光源部を消灯させることによって、導光部材の長手方向の他方の端部側を明るくさせた後に当該導光部材の長手方向の全長を暗く（全消灯）させることができる。
【００１２】
このように、制御部によって一方の光源部と他方の光源部とが、一方の端部側点灯、全灯、他方の端部側点灯、全消灯させるように制御されることによって、導光部材における明るい部分を移動させることができるので、導光部材の長手方向の一方の端部から他方の端部へ光が移動するように見せることができる。
【００１３】
また、一方の光源部から出射された光が導光部材の長手方向の一方の端部に入射されて導光されるとともに拡散されることによって、当該導光部材の長手方向の他方の端部に向かうのに従って徐々に光量が低下して暗くなる光のグラデーションが形成され、また、他方の光源部から出射された光が導光部材の長手方向の他方の端部に入射されて導光されるとともに拡散されることによって、当該導光部材の長手方向の一方の端部に向かうのに従って徐々に光量が低下して暗くなる光のグラデーションが形成されるので、光が円滑に流れるように見せることができる。
【００１４】
このように、少ない光源部で光が円滑に流れるように見せることができることによって、光源部を点灯させるための回路および配線が簡略化されてコストダウンでき、光源部にＬＥＤを採用してもコストを抑制させることができるので、車両用室内照明装置をコストダウンさせることができる。
【００１５】
請求項２に記載された本発明の車両用室内照明装置によれば、一方の光源部から出射された光が導光部材の長手方向の一方の端部に対して斜入射されることによって、当該一方の端部側がより明るくなるとともに当該導光部材の長手方向の他方の端部側がより暗くなる光のグラデーションが強調されて形成され、また、他方の光源部から出射された光が導光部材の長手方向の他方の端部に対して斜入射されることによって、当該他方の端部側がより明るくなるとともに当該導光部材の長手方向の一方の端部側がより暗くなる光のグラデーションが強調されて形成されるので、円滑に流れる光をより明瞭に見せることができる。
【００１６】
請求項３に記載された本発明の車両用室内照明装置によれば、一方の第２光源を点灯させた後に当該一方の第２光源を消灯させるとともに前記一方の第１光源と前記他方の第１光源とを点灯させることによって、導光部材の長手方向の一方の端部側をさらに一層明るく（一方の端部側点灯）させた後に当該導光部材の長手方向の全長をより明るく（全灯）させることができ、一方の第１光源と他方の第１光源とを点灯させた後に当該一方の第１光源と当該他方の第１光源とを消灯させるとともに他方の第２光源を点灯させることによって、導光部材の長手方向の全長をより明るくさせた後に当該導光部材の長手方向の他方の端部側をさらに一層明るく（他方の端部側点灯）させることができ、他方の第２光源を点灯させた後に当該他方の第２光源を消灯させることによって、導光部材の長手方向の他方の端部側をさらに一層明るくさせた後に当該導光部材の全長を暗く（全消灯）させることができる。
【００１７】
このように、一方の端部側点灯がさらに一層明るくなり、全灯がより明るくなり、他方の端部側点灯がさらに一層明るくなるので、導光部材の長手方向の一方の端部から他方の端部へ移動する光をより一層明瞭に見せることができる。
【図面の簡単な説明】
【００１８】
【図１】本発明の第１の実施の形態にかかる照明装置の構成を説明するための説明図である。（Ａ）は斜視図、（Ｂ）は側面図、（Ｃ）は導光部材の端部を示す側面図である。
【図２】図１に示す照明装置の電気回路構成の概略を示すブロック図である。
【図３】制御部によって行われる制御手順を示すフローチャートである。
【図４】図１に示す照明装置の照明効果を説明するための説明図である。（Ａ）は初期状態における全消灯を示す図、（Ｂ）は一方の端部側点灯を示す図、（Ｃ）は全灯を示す図、（Ｄ）は他方の端部側点灯を示す図、（Ｅ）は全消灯を示す図である。
【図５】本発明の第２の実施の形態にかかる照明装置の構成およびその照明効果を説明するための説明図である。（Ａ）は初期状態における全消灯を示す図、（Ｂ）は一方の端部側点灯を示す図、（Ｃ）は全灯を示す図、（Ｄ）は他方の端部側点灯を示す図、（Ｅ）は全消灯を示す図である。
【図６】従来の車両用室内照明装置の構成を説明するための説明図である。
【図７】図６に示す車両用室内照明装置の照明効果を説明するための説明図である。
【発明を実施するための形態】
【００１９】
以下に添付図面を参照して、本発明の実施の形態について説明する。なお、以下に説明する本発明の実施の形態は、本発明の代表的な形態を示したものに過ぎず、本発明は、実施の形態に限定されるものではない。したがって、本発明は、本発明の骨子を逸脱しない範囲、すなわち、当業者が容易に想到できるもの、実質的に同一のもの、いわゆる均等の範囲で種々変形して実施することができる。
【００２０】
図１（Ａ）ないし図１（Ｃ）は、本発明の第１の実施の形態にかかる車両用室内照明装置（以下、「照明装置」という）１の構成を説明するための説明図である。図２は、照明装置１の電気回路構成の概略のブロック図である。
【００２１】
本発明の第１の実施の形態にかかる照明装置１は、例えば、自動車等の車両のルーフトリムに設けられて車室内の全体を照明するためのルームランプ、ドア開口部の足元側に設けられてドアの開閉時に上方に光を放つスカッフランプ、インストルメントパネルの下部に設けられて前席乗員の足元を照らすための足元ランプ、ドアトリムのドアポケット内に設けられて当該ドアポケット内から上方に光を放つドアポケットランプなど、車室内に設けられるランプとして用いることができるものである。
【００２２】
照明装置１は、図１（Ａ）に示すように、導光部材２と、該導光部材２の長手方向の一方の端部に設けられた一方の光源部３Ａと、前記導光部材２の長手方向の他方の端部に設けられた他方の光源部３Ｂと、を備えている。
【００２３】
導光部材２は、図１（Ａ）および図１（Ｃ）に示すように、軸直角断面が円形状となる円柱形状に形成されている。また、導光部材２は、図１（Ｂ）および図１（Ｃ）に示すように、長手方向の両端部から入射された光が導光されるとともに拡散される導光部９と、該導光部９内で導光されるとともに拡散される光を反射させる反射部８と、を備えている。
【００２４】
なお、導光部材２は、円柱形状に形成された導光管に代えて、四角柱形状に形成された導光板を用いることができ、また、円柱形状の導光部９の外周面に沿って円弧形状の反射板を設けたものを用いることもできる。
【００２５】
導光部９は、長手方向の両端部のそれぞれが、後述する一方の光源部３Ａまたは他方の光源部３Ｂからの光が入射される入射面とされている。
【００２６】
また、導光部９は、例えば、ポリメチルメタクリレート樹脂（ＰＭＭＡ樹脂）、ポリカーボネート樹脂（ＰＣ樹脂）、環状ポリオレフィン樹脂（ＣＯＰ樹脂）、アクリル樹脂やガラス等の透明性の高い材料であるとともに、入射された光が空気との界面の臨界角によって全反射を繰り返すことができる材料で形成されている。
【００２７】
反射部８は、例えば、ポリエチレンテレフタレート樹脂（ＰＥＴ樹脂）、ＰＣ樹脂、ポリプロピレン樹脂（ＰＰ樹脂）などの合成樹脂で形成されている。
【００２８】
また、反射部８は、例えば、粘着材で構成され且つ導光部９内の全反射を繰り返す光を反射させるための複数の反射ドットによって、導光部９に貼り付けられている（粘着ドット方式）。このため、反射部８と導光部９とによって反射ドットが狭持されている。
【００２９】
各反射ドットの形状および大きさ（面積）は、導光部９の長手方向の両端部のそれぞれから入射された光の明るさが、前記両端部から同時に光が入射された際に、導光部９の長手方向の両端部と中心部とで光の明るさにムラが生じないように設定されている。
【００３０】
なお、導光部９の外周面に、例えば、白色インクで反射ドットを印刷するいわゆるシルク印刷方式、導光部９の外周面に凹凸を形成するいわゆる成型方式、導光部９の外周面に溝を形成するいわゆる溝加工方式などによって、導光部９内で全反射を繰り返す光を反射させるようにすることができる。
【００３１】
一方の光源部３Ａは、図１（Ａ）および図１（Ｂ）に示すように、一方の第１光源としての一方の第１ＬＥＤ１４Ａと、一方の第２光源としての一方の第２ＬＥＤ１５Ａと、前記一方の第１ＬＥＤ１４Ａと前記一方の第２ＬＥＤ１５Ａとが表面実装されるプリント配線板１１と、を備えている。
【００３２】
一方の第１ＬＥＤ１４Ａは、発光ダイオード（Light Emitting Diode：ＬＥＤ）で構成されている。一方の第１ＬＥＤ１４Ａは、図１（Ｂ）に示すように、プリント配線板１１に表面実装されている。一方の第１ＬＥＤ１４Ａは、図２に示すように、制御回路を備えた制御部３１によって、その点灯および消灯が制御されている。
【００３３】
また、一方の第１ＬＥＤ１４Ａの光軸Ｌ１は、図１（Ｂ）に示すように、導光部９の設計上の光軸Ｌ２と一致するように配置されている。すなわち、一方の第１ＬＥＤ１４Ａは、導光部材２の長手方向の一方の端部に対して当該導光部材２の光軸Ｌ２に沿って光を入射させるように配置されている。
【００３４】
なお、本発明でいう、一方の第１ＬＥＤ１４Ａの光軸Ｌ１が導光部９の設計上の光軸Ｌ２と一致するように配置されているとは、導光部９の長手方向の一方の端部における一方の第１ＬＥＤ１４Ａの出射した光の入射位置が、当該導光部９内で均等に導光および分散される設計上の位置に配置されていることをいう。
【００３５】
一方の第２ＬＥＤ１５Ａは、発光ダイオード（ＬＥＤ）で構成されている。一方の第２ＬＥＤ１５Ａは、図１（Ｂ）に示すように、プリント配線板１１に表面実装されている。一方の第２ＬＥＤ１５Ａは、図２に示すように、制御部３１によって、その点灯および消灯が制御されている。
【００３６】
また、一方の第２ＬＥＤ１５Ａの光軸Ｌ３は、図１（Ｂ）に示すように、導光部９の設計上の光軸Ｌ２に対して斜入射するように配置されている。すなわち、一方の第２ＬＥＤ１５Ａから出射された光が、導光部９の長手方向の一方の端部に対して、斜入射されるように配置され、一方の第１ＬＥＤ１４Ａとは異なる光の入射角となっている。
【００３７】
なお、本発明でいう、一方の第２ＬＥＤ１５Ａの光軸Ｌ３が導光部９の設計上の光軸Ｌ２に対して斜入射するように配置されているとは、導光部９の長手方向の一方の端部における一方の第２ＬＥＤ１５Ａの出射した光の入射位置が、導光部９の設計上の光軸Ｌ２からずらして配置されていることをいい、導光部９の長手方向の一方の端部側がより明るくされるとともに当該導光部材２の長手方向の他方の端部側がより暗くされる光のグラデーションが形成されるように配置されていることをいう。
【００３８】
他方の光源部３Ｂは、図１（Ａ）および図１（Ｂ）に示すように、他方の第１光源としての他方の第１ＬＥＤ１４Ｂと、他方の第２光源としての他方の第２ＬＥＤ１５Ｂと、前記他方の第１ＬＥＤ１４Ｂと前記他方の第２ＬＥＤ１５Ｂとが表面実装されるプリント配線板１１と、を備えている。
【００３９】
他方の第１ＬＥＤ１４Ｂは、発光ダイオード（ＬＥＤ）で構成されている。他方の第１ＬＥＤ１４Ｂは、図１（Ｂ）に示すように、プリント配線板１１に表面実装されている。他方の第１ＬＥＤ１４Ｂは、図２に示すように、制御部３１によって、その点灯および消灯が制御されている。
【００４０】
また、他方の第１ＬＥＤ１４Ｂの光軸Ｌ１は、図１（Ｂ）に示すように、導光部９の設計上の光軸Ｌ２と一致するように配置されている。すなわち、他方の第１ＬＥＤ１４Ｂは、導光部材２の長手方向の他方の端部に対して当該導光部材２の光軸Ｌ２に沿って光を入射させるように配置されている。
【００４１】
なお、本発明でいう、他方の第１ＬＥＤ１４Ｂの光軸Ｌ１が導光部９の設計上の光軸Ｌ２と一致するように配置されているとは、導光部９の長手方向の他方の端部における他方の第１ＬＥＤ１４Ｂの出射した光の入射位置が、当該導光部９内で均等に導光および分散される設計上の位置に配置されていることをいう。
【００４２】
他方の第２ＬＥＤ１５Ｂは、発光ダイオード（ＬＥＤ）で構成されている。他方の第２ＬＥＤ１５Ｂは、図１（Ｂ）に示すように、プリント配線板１１に表面実装されている。他方の第２ＬＥＤ１５Ｂは、図２に示すように、制御部３１によって、その点灯および消灯が制御されている。
【００４３】
また、他方の第２ＬＥＤ１５Ｂの光軸Ｌ３は、図１（Ｂ）に示すように、導光部９の設計上の光軸Ｌ２に対して斜入射するように配置されている。すなわち、他方の第２ＬＥＤ１５Ｂから出射された光が、導光部９の長手方向の他方の端部に対して、斜入射されるように配置され、他方の第１ＬＥＤ１４Ｂとは異なる光の入射角となっている。
【００４４】
なお、本発明でいう、他方の第２ＬＥＤ１５Ｂの光軸Ｌ３が導光部９の設計上の光軸Ｌ２に対して斜入射するように配置されているとは、導光部９の長手方向の他方の端部における他方の第２ＬＥＤ１５Ｂの出射した光の入射位置が、導光部９の設計上の光軸Ｌ２からずらして配置されていることをいい、導光部９の長手方向の他方の端部側がより明るくされるとともに当該導光部材２の長手方向の一方の端部側がより暗くされる光のグラデーションが形成されるように配置されていることをいう。
【００４５】
制御部３１は、自動車等の車両の各種電装品の動作を制御するための制御部であって、例えば、マイクロプロセッサとＩ／Ｏ装置と通信モジュール等を備えたＥＣＵ（Electronic Control Unit）が用いられている。また、制御部３１は、自動車等の車両のドアの開閉を検知するドアセンサからの信号、あるいは、乗員の操作などに基づいて、照明装置１を制御するように構成されている。
【００４６】
次に、図３および図４を参照して、上述の如く構成された本発明の第１の実施の形態にかかる車両用室内照明装置１における照明効果について説明する。図３は、制御手順のフローチャートである。図４（Ａ）ないし図４（Ｅ）は、照明効果を模式的に示した図である。
【００４７】
図４（Ａ）に示すように、初期状態においては、一方の光源部３Ａの一方の第１ＬＥＤ１４Ａと一方の第２ＬＥＤ１５Ａとは消灯されているとともに、他方の光源部３Ｂの他方の第１ＬＥＤ１４Ｂと他方の第２ＬＥＤ１５Ｂとは消灯され、導光部材２が全消灯されている。
【００４８】
続いて、図３および図４（Ｂ）に示すように、一方の光源部３Ａの一方の第２ＬＥＤ１５Ａが点灯され、導光部材２の長手方向の一方の端部側点灯される（ステップＳ１）。
【００４９】
このとき、図４（Ｂ）に示すように、導光部材２の長手方向の一方の端部側が明るくされるとともに当該導光部材２の長手方向の他方の端部側が暗くされる光のグラデーションが形成される。なお、図面上では、光のグラデーションを小さな点のパターン（網点）の多少で模式的に表していることから、グラデーションが６段階の濃淡となっているが、実際には、滑らかなグラデーションとなる。
【００５０】
続いて、図３および図４（Ｃ）に示すように、一方の光源部３Ａの一方の第２ＬＥＤ１５Ａが消灯されるとともに一方の第１ＬＥＤ１４Ａが点灯され、かつ、他方の光源部３Ｂの他方の第１ＬＥＤ１４Ｂが点灯され、導光部材２が全灯される（ステップＳ２）。
【００５１】
続いて、図３および図４（Ｄ）に示すように、一方の光源部３Ａの一方の第１ＬＥＤ１４Ａが消灯され、かつ、他方の光源部３Ｂの他方の第１ＬＥＤ１４Ｂが消灯されるとともに他方の第２ＬＥＤ１５Ｂが点灯され、導光部材２の長手方向の他方の端部側点灯される（ステップＳ３）。
【００５２】
このとき、図４（Ｄ）に示すように、導光部材２の長手方向の他方の端部側が明るくされるとともに当該導光部材２の長手方向の一方の端部側が暗くされる光のグラデーションが形成される。なお、図面上では、光のグラデーションを小さな点のパターン（網点）の多少で模式的に表していることから、グラデーションが６段階の濃淡となっているが、実際には、滑らかなグラデーションとなる。
【００５３】
続いて、図３および図４（Ｅ）に示すように、他方の光源部３Ｂの他方の第２ＬＥＤ１５Ｂが消灯され、導光部材２が全消灯される（ステップＳ４）。
【００５４】
このようなステップＳ１ないしステップＳ４の制御が順次行われ、導光部材２の長手方向の一方の端部から当該導光部材２の長手方向の他方の端部へ光が流れるような照明効果が見られる。
【００５５】
以上に説明したように、本発明の第１の実施の形態にかかる照明装置１は、長手方向の両端部から入射された光が導光されるとともに拡散される導光部材２と、該導光部材２の長手方向の一方の端部に設けられた一方の光源部３Ａと、前記導光部材２の長手方向の他方の端部に設けられた他方の光源部３Ｂと、前記一方の光源部３Ａおよび前記他方の光源部３Ｂの双方の点灯をそれぞれ制御する制御部３１と、を有し、前記一方の光源部３Ａには、前記導光部材２の長手方向の一方の端部に対して当該導光部材２の光軸Ｌ２に沿って光を入射させる一方の第１ＬＥＤ１４Ａと、前記導光部材２の長手方向の一方の端部に対して光を斜入射させる一方の第２ＬＥＤ１５Ａと、が設けられ、前記他方の光源部３Ｂには、前記導光部材２の長手方向の他方の端部に対して当該導光部材２の光軸Ｌ２に沿って光を入射させる他方の第１ＬＥＤ１４Ｂと、前記導光部材２の長手方向の他方の端部に対して光を斜入射させる他方の第２ＬＥＤ１５Ｂと、が設けられ、前記制御部３１が、前記一方の第２ＬＥＤ１５Ａを点灯させた後に当該一方の第２ＬＥＤ１５Ａを消灯させるとともに前記一方の第１ＬＥＤ１４Ａと前記他方の第１ＬＥＤ１４Ｂとを点灯させ、前記一方の第１ＬＥＤ１４Ａと前記他方の第１ＬＥＤ１４Ｂとを点灯させた後に当該一方の第１ＬＥＤ１４Ａと当該他方の第１ＬＥＤ１４Ｂとを消灯させるとともに前記他方の第２ＬＥＤ１５Ｂを点灯させ、該他方の第２ＬＥＤ１５Ｂを点灯させた後に当該他方の第２ＬＥＤ１５Ｂを消灯させることを特徴とするものである。
【００５６】
すなわち、制御部３１が、導光部材２の長手方向の一方の端部に設けられた一方の第２ＬＥＤ１５Ａを点灯させた後に当該一方の第２ＬＥＤ１５Ａを消灯させるとともに当該導光部材２の長手方向の一方の端部に設けられた一方の第１ＬＥＤ１４Ａと当該導光部材２の長手方向の他方の端部に設けられた他方の第１ＬＥＤ１４Ｂとを点灯させ、前記一方の第１ＬＥＤ１４Ａと前記他方の第１ＬＥＤ１４Ｂとを点灯させた後に当該一方の第１ＬＥＤ１４Ａと当該他方の第１ＬＥＤ１４Ｂとを消灯させるとともに当該導光部材２の長手方向の他方の端部に設けられた他方の第２ＬＥＤ１５Ｂを点灯させ、該他方の第２ＬＥＤ１５Ｂを点灯させた後に当該他方の第２ＬＥＤ１５Ｂを消灯させるように、双方の点灯をそれぞれ制御するので、一方の第２ＬＥＤ１５Ａを点灯させた後に当該一方の第２ＬＥＤ１５Ａを消灯させるとともに前記一方の第１ＬＥＤ１４Ａと前記他方の第１ＬＥＤ１４Ｂとを点灯させることによって、導光部材の長手方向の一方の端部側をさらに一層明るく（一方の端部側点灯）させた後に当該導光部材の長手方向の全長をより明るく（全灯）させることができ、一方の第１ＬＥＤ１４Ａと他方の第１ＬＥＤ１４Ｂとを点灯させた後に当該一方の第１ＬＥＤ１４Ａと当該他方の第１ＬＥＤ１４Ｂとを消灯させるとともに他方の第２ＬＥＤ１５Ｂを点灯させることによって、導光部材の長手方向の全長をより明るくさせた後に当該導光部材の長手方向の他方の端部側をさらに一層明るく（他方の端部側点灯）させることができ、他方の第２ＬＥＤ１５Ｂを点灯させた後に当該他方の第２ＬＥＤ１５Ｂを消灯させることによって、導光部材の長手方向の他方の端部側をさらに一層明るくさせた後に当該導光部材の全長を暗く（全消灯）させることができる。
【００５７】
このように、制御部３１によって一方の第１ＬＥＤ１４Ａと一方の第２ＬＥＤ１５Ａと他方の第１ＬＥＤ１４Ｂと他方の第２ＬＥＤ１５Ｂとが、一方の端部側点灯、全灯、他方の端部側点灯、全消灯させるように制御されることによって、導光部材２における明るい部分を移動させることができるので、導光部材２の長手方向の一方の端部から他方の端部へ光が移動するように見せることができる。
【００５８】
また、このように、一方の端部側点灯がさらに一層明るくなり、全灯がより明るくなり、他方の端部側点灯がさらに一層明るくなるので、導光部材の長手方向の一方の端部から他方の端部へ移動する光をより一層明瞭に見せることができる。
【００５９】
また、一方の第１ＬＥＤ１４Ａまたは一方の第２ＬＥＤ１５Ａから出射された光が導光部材２の長手方向の一方の端部に入射されて導光されるとともに拡散されることによって、当該導光部材２の長手方向の他方の端部に向かうのに従って徐々に光量が低下して暗くなる光のグラデーションが形成され、また、他方の第１ＬＥＤ１４Ｂまたは他方の第２ＬＥＤ１５Ｂから出射された光が導光部材２の長手方向の他方の端部に入射されて導光されるとともに拡散されることによって、当該導光部材２の長手方向の一方の端部に向かうのに従って徐々に光量が低下して暗くなる光のグラデーションが形成されるので、光が円滑に流れるように見せることができる。
【００６０】
このように、少ない光源（一方の第１ＬＥＤ１４Ａと一方の第２ＬＥＤ１５Ａおよび他方の第１ＬＥＤ１４Ｂと他方の第２ＬＥＤ１５Ｂ）で光が円滑に流れるように見せることができることによって、光源を点灯させるための回路および配線が簡略化されてコストダウンでき、光源にＬＥＤを採用してもコストを抑制させることができるので、車両用室内照明装置１をコストダウンさせることができる。
【００６１】
また、本発明の第１の実施の形態にかかる照明装置１は、一方の第１ＬＥＤ１４Ａから出射された光が、導光部材２の長手方向の一方の端部に対して斜入射され、他方の第１ＬＥＤ１４Ｂから出射された光が、導光部材２の長手方向の他方の端部に対して斜入射されるので、導光部材２の長手方向の一方の端部に斜入射された光によって当該一方の端部側がより明るくなるとともに当該導光部材２の長手方向の他方の端部側がより暗くなる光のグラデーションが強調されて形成され、また、導光部材２の長手方向の他方の端部に斜入射された光によって当該他方の端部側がより明るくなるとともに当該導光部材２の長手方向の一方の端部側がより暗くなる光のグラデーションが強調されて形成されるので、円滑に流れる光をより明瞭に見せることができる。
【００６２】
（第２の実施の形態）
次に、本発明の第２の実施の形態にかかる照明装置１について図５を参照して説明する。なお、前述した第１の実施の形態と同一部分には、同一符号を付してその説明を省略する。
【００６３】
本実施例では、一方の光源部３Ａに、導光部材２の導光部９の設計上の光軸（図１（Ｂ）参照）Ｌ２と一致するように配置された一方の第１ＬＥＤ１４Ａのみを設け、かつ、他方の光源部３Ｂに、導光部材２の導光部９の設計上の光軸Ｌ２と一致するように配置された他方の第１ＬＥＤ１４Ｂのみを設けたことが第１の実施の形態にかかる照明装置１とは異なる。
【００６４】
また、導光部材２は、一方の第１ＬＥＤ１４Ａからの光によって、導光部９の長手方向の一方の端部側が明るくされるとともに当該導光部材２の長手方向の他方の端部側が暗くされる光のグラデーションが形成されやすい光学特性とされ、かつ、他方の第１ＬＥＤ１４Ｂからの光によって、導光部９の長手方向の他方の端部側が明るくされるとともに当該導光部材２の長手方向の一方の端部側が暗くされる光のグラデーションが形成されやすい光学特性とされている。
【００６５】
なお、本発明でいう、光のグラデーションが形成されやすい光学特性とされているとは、例えば、導光部材２が長尺に形成されたり、あるいは、各反射ドットの形状および大きさ（面積）が同一であったりして、一方の第１ＬＥＤ１４Ａから遠ざかるにつれて徐々に暗くなるとともに他方の第１ＬＥＤ１４Ｂから遠ざかるにつれて徐々に暗くなるように導光部材２が形成されていることをいう。
【００６６】
このように構成された本発明の第２の実施の形態にかかる照明装置１は、図５（Ａ）に示すように、初期状態においては、一方の光源部３Ａの一方の第１ＬＥＤ１４Ａが消灯されているとともに、他方の光源部３Ｂの他方の第１ＬＥＤ１４Ｂが消灯され、導光部材２が全消灯されている。
【００６７】
続いて、図５（Ｂ）に示すように、一方の光源部３Ａの一方の第２ＬＥＤ１５Ａが点灯され、導光部材２の長手方向の一方の端部側点灯される。
【００６８】
このとき、導光部材２の長手方向の一方の端部側が明るくされるとともに当該導光部材２の長手方向の他方の端部側が暗くされる光のグラデーションが形成される。なお、図面上では、光のグラデーションを小さな点のパターン（網点）の多少で模式的に表していることから、グラデーションが６段階の濃淡となっているが、実際には、滑らかなグラデーションとなる。
【００６９】
続いて、図４（Ｃ）に示すように、他方の光源部３Ｂの他方の第１ＬＥＤ１４Ｂが点灯され、導光部材２が全灯される。
【００７０】
続いて、図４（Ｄ）に示すように、一方の光源部３Ａの一方の第１ＬＥＤ１４Ａが消灯され、導光部材２の長手方向の他方の端部側点灯される。
【００７１】
このとき、導光部材２の長手方向の他方の端部側が明るくされるとともに当該導光部材２の長手方向の一方の端部側が暗くされる光のグラデーションが形成される。なお、図面上では、光のグラデーションを小さな点のパターン（網点）の多少で模式的に表していることから、グラデーションが６段階の濃淡となっているが、実際には、滑らかなグラデーションとなる。
【００７２】
続いて、図４（Ｅ）に示すように、他方の光源部３Ｂの他方の第１ＬＥＤ１４Ｂが消灯され、導光部材２が全消灯される。
【００７３】
このような制御が制御部（図２参照）３１によって順次行われ、導光部材２の長手方向の一方の端部から当該導光部材２の長手方向の他方の端部へ光が流れるような照明効果が見られる。
【００７４】
なお、供給電力を調整する位相制御調光方式、または、ＰＷＭ（Pulse Width Modulation：パルス幅変調）信号に基づいて点灯および消灯を繰り返させるＰＷＭ調光方式など、公知の調光制御手段を設けることによって、一方の第１ＬＥＤ１４Ａおよび一方の第２ＬＥＤ１５Ａと、他方の第１ＬＥＤ１４Ｂおよび他方の第２ＬＥＤ１５Ｂとをそれぞれ調光させるように制御することで、光のグラデーションをより強調させるようにすることができ、円滑に流れる光をより明瞭に見ることができる。
【００７５】
以上に説明したように、本発明の第２の実施の形態にかかる照明装置１は、長手方向の両端部から入射された光が導光されるとともに拡散される導光部材２と、該導光部材２の長手方向の一方の端部に設けられた一方の第１ＬＥＤ１４Ａと、前記導光部材２の長手方向の他方の端部に設けられた他方の第１ＬＥＤ１４Ｂと、前記一方の第１ＬＥＤ１４Ａおよび前記他方の第１ＬＥＤ１４Ｂの双方の点灯をそれぞれ制御する制御部３１と、を有し、前記制御部３１が、前記一方の第１ＬＥＤ１４Ａを点灯させた後に前記他方の第１ＬＥＤ１４Ｂを点灯させ、該他方の第１ＬＥＤ１４Ｂを点灯させた後に前記一方の第１ＬＥＤ１４Ａを消灯させ、該一方の第１ＬＥＤ１４Ａを消灯させた後に前記他方の第１ＬＥＤ１４Ｂを消灯させることを特徴とするものである。
【００７６】
すなわち、一方の第１ＬＥＤ１４Ａから出射された光が導光部材２の長手方向の一方の端部に入射されて導光されるとともに拡散されることによって、当該導光部材２の長手方向の他方の端部に向かうのに従って徐々に光量が低下して暗くなる光のグラデーションが強調されて形成され、また、他方の第１ＬＥＤ１４Ｂから出射された光が導光部材２の長手方向の他方の端部に入射されて導光されるとともに拡散されることによって、当該導光部材２の長手方向の一方の端部に向かうのに従って徐々に光量が低下して暗くなる光のグラデーションが強調されて形成されるので、より明瞭に光が円滑に流れるように見せることができる。
【００７７】
また、より一層少ない光源（一方の第１ＬＥＤ１４Ａおよび他方の第１ＬＥＤ１４Ｂ）で光が円滑に流れるように見せることができることによって、光源を点灯させるための回路および配線が簡略化されてさらにコストダウンでき、光源にＬＥＤを採用してもコストを抑制させることができるので、車両用室内照明装置１をさらにコストダウンさせることができる。
【００７８】
なお、前述した本発明の実施の形態では、導光部材２の長手方向の一方の端部から当該導光部材２の長手方向の他方の端部へ光が流れるような照明効果が見られるように制御しているが、導光部材２の長手方向の他方の端部から当該導光部材２の長手方向の一方の端部へ光が流れるような照明効果が見られるように制御することもできる。
【００７９】
また、前述した本発明の実施の形態では、光源としてＬＥＤを採用したものであったが、白熱電球、ハロゲン電球、冷陰極管など、公知の光源を採用することができる。
【産業上の利用可能性】
【００８０】
本発明にかかる車両用室内照明装置は、自動車等の客室内を照明するための照明装置として利用することができる。
【符号の説明】
【００８１】
１  照明装置（車両用室内照明装置）
２  導光部材
３Ａ  一方の光源部
３Ｂ  他方の光源部
１４Ａ  一方の第１ＬＥＤ（一方の第１光源）
１５Ａ  一方の第２ＬＥＤ（一方の第２光源）
１４Ｂ  他方の第１ＬＥＤ（他方の第１光源）
１５Ｂ  他方の第２ＬＥＤ（他方の第２光源）
３１  制御部
Ｌ２  光軸
【図１】
2014008803.tif 000003
【図２】
2014008803.tif 000004
【図３】
2014008803.tif 000005
【図４】
2014008803.tif 000006
【図５】
2014008803.tif 000007
【図６】
2014008803.tif 000008
【図７】
2014008803.tif 000009